(57)【特許請求の範囲】
【請求項１】
データを記憶する記憶部と、
受信側ファクシミリ装置と通信を行うための通信部と、
前記記憶部に記憶されたデータを表示する表示部と、
入力を受け付ける入力部を含み、
前記通信部は、前記受信側ファクシミリ装置に、自己のアドレス情報を通知するとともに、前記受信側ファクシミリ装置から再発呼を止める要求である再発呼停止要求と、前記受信側ファクシミリ装置が受信できていない通信データである未受信データを、前記受信側ファクシミリ装置が後にポーリング通信で受信する旨のポーリング要求を受信し、前記再発呼停止要求を受けると、前記受信側ファクシミリ装置への再発呼を行わず、前記ポーリング要求があったとき、前記受信側ファクシミリ装置に前記ポーリング通信用データと対応づけられて前記記憶部に記憶される認証用のサブアドレスを送信し、
前記ポーリング要求を受けると、前記記憶部は、前記未受信データをポーリング通信で送信するポーリング通信用データとして記憶し、
前記入力部は、前記サブアドレスの入力を受け付け、
前記表示部は、未送信の前記ポーリング通信用データのうち、前記入力部に入力された前記サブアドレスに対応する前記ポーリング通信用データのみを、記憶された前記未受信データを上書きして差し替える上書きと、前記ポーリング通信の対象からの前記未受信データの削除と、記憶された前記未受信データの印刷を受け付けるためのポーリングボックス画面に表示し、
前記入力部は、前記ポーリング通信用データに対する前記上書き、前記削除、前記印刷の入力を受け付けること特徴とするファクシミリ装置。
【請求項２】
前記通信部は、前記ポーリング要求があったとき、認証用の前記サブアドレスを送信し、前記受信側ファクシミリ装置から、前記ポーリング通信用データの送信要求をうけたとき、前記受信側ファクシミリ装置から返された前記サブアドレスと一致する前記ポーリング通信用データを前記受信側ファクシミリ装置に送信し、前記受信側ファクシミリ装置から返された前記サブアドレスと一致する前記ポーリング通信用データがない場合、前記ポーリング通信用データを前記受信側ファクシミリ装置に送信しないことを特徴とする請求項１に記載のファクシミリ装置。
【請求項３】
前記通信部は、前記受信側ファクシミリ装置に通知した前記アドレス情報に変更があったとき、変更後のアドレス情報を前記受信側ファクシミリ装置に送信することを特徴とする請求項１又は２に記載のファクシミリ装置。
【請求項４】
相手方ファクシミリ装置からのデータを受信できるか否かを判断する制御部を含み、
前記制御部がデータを受信できないと判断している状態で、
前記通信部は、前記相手方ファクシミリ装置からセッション確立要求があったとき、前記再発呼停止要求と、前記ポーリング要求を前記相手方ファクシミリ装置に送信することを特徴とする請求項１乃至３のいずれか１項に記載のファクシミリ装置。
【請求項５】
前記通信部は、ＳＩＰの通信プロトコルに基づいて前記受信側ファクシミリ装置と通信を行うことを特徴とする請求項１乃至４のいずれか１項に記載のファクシミリ装置。
【請求項６】
送信側ファクシミリ装置と、受信側ファクシミリ装置からなる通信システムであって、
前記送信側ファクシミリ装置は、
データを記憶する記憶部と、
前記受信側ファクシミリ装置と通信を行うための第１通信部と、
前記記憶部に記憶されたデータを表示する表示部と、
入力を受け付ける入力部を含み、
前記第１通信部は、前記受信側ファクシミリ装置に、自己のアドレス情報を通知するとともに、前記受信側ファクシミリ装置から再発呼を止める要求である再発呼停止要求と、前記受信側ファクシミリ装置が受信できていない通信データである未受信データを前記受信側ファクシミリ装置が後にポーリング通信で受信する旨のポーリング要求を受信し、前記再発呼停止要求を受けると、前記受信側ファクシミリ装置への再発呼を行わず、前記ポーリング要求があったとき、前記受信側ファクシミリ装置に前記ポーリング通信用データと対応づけられて前記記憶部に記憶される認証用のサブアドレスを送信し、
前記ポーリング要求を受けると、前記記憶部は、前記未受信データをポーリング通信で送信するポーリング通信用データとして記憶し、
前記入力部は、前記サブアドレスの入力を受け付け、
前記表示部は、未送信の前記ポーリング通信用データのうち、前記入力部に入力された前記サブアドレスに対応する前記ポーリング通信用データのみを、記憶された前記未受信データを上書きして差し替える上書きと、前記ポーリング通信の対象からの前記未受信データの削除と、記憶された前記未受信データの印刷を受け付けるためのポーリングボックス画面に表示し、
前記入力部は、前記ポーリング通信用データに対する前記上書き、前記削除、前記印刷の入力を受け付け、
前記受信側ファクシミリ装置は、
前記送信側ファクシミリ装置と通信を行うための第２通信部と、前記送信側ファクシミリ装置からのデータを受信できるか否かを判断する制御部と、を含み、
前記制御部がデータを受信できないと判断している状態で、前記送信側ファクシミリ装置からセッション確立要求があったとき、前記第２通信部は、前記再発呼停止要求と前記ポーリング要求を前記送信側ファクシミリ装置に送信する、
ことを特徴とする通信システム。
【請求項７】
前記第１通信部は、前記ポーリング要求があったとき、認証用の前記サブアドレスを送信し、
前記第２通信部は、前記ポーリング通信用データの送信要求とともに、前記サブアドレスを前記第１通信部に送信し、
前記第１通信部は、前記受信側ファクシミリ装置から返された前記サブアドレスと一致する前記ポーリング通信用データを前記受信側ファクシミリ装置に送信し、前記受信側ファクシミリ装置から返された前記サブアドレスと一致する前記ポーリング通信用データがない場合、前記ポーリング通信用データを送信しないことを特徴とする請求項７に記載の通信システム。
【請求項８】
前記第１通信部は、前記受信側ファクシミリ装置に通知した前記アドレス情報に変更があったとき、変更後のアドレス情報を前記受信側ファクシミリ装置に送信することを特徴とする請求項６又は７に記載の通信システム。
【請求項９】
前記第１通信部と前記第２通信部は、ＳＩＰの通信プロトコルに基づいて通信を行うことを特徴とする請求項６乃至８のいずれか１項に記載の通信システム。
【発明の詳細な説明】
【技術分野】
【０００１】
本発明は、ファクシミリ装置、及び、複数のファクシミリ装置からなる通信システムに関する。
【背景技術】
【０００２】
ＦＡＸ通信では、送信側と受信側のファクシミリ装置間で通信が行われる。しかし、受信側が故障等で受信不可状態となる場合がある。しかし、一般に、送信側に状況は伝えられない。このような場合、送信側ファクシミリ装置は一定間隔で再発呼を行う。しかし、受信側ファクシミリ装置が受信不可状態のままであれば、再発呼は無駄である。又、送信側は、電話等の他の手段で確認を相手方にとらない限り、受信側ファクシミリ装置が受信可能状態に復帰したかを確認できない。そこで、無駄な再発呼や電話連絡の手間を省こうとする通信装置が特許文献１に記載されている。
【０００３】
具体的に、特許文献１には、ネットワーク経由でデータを送受信する通信装置で、被呼側通信装置が通信可能または不可状態を検出する検出手段と、発着呼時、被呼側通信装置が検出手段により通信不可状態が検出されている場合、被呼側通信装置から発呼側通信装置に通信不可メッセージをＳＩＰメッセージとして送信する手段と、通信不可メッセージを受信した発呼側通信装置が必要に応じて通信復帰通知を要求する通信復帰通知要求メッセージをＳＩＰメッセージとして送信する手段と、通信復帰通知要求メッセージを受信した被呼側通信装置が検出手段により通信可能状態を検出すると通信復帰通知要求メッセージを送信した発呼側通信装置に対して通信復帰通知メッセージをＳＩＰメッセージとして送信する手段を有し、通信復帰通知メッセージの送受信に応じて未受信データの送受信を行なう通信装置が記載されている。この構成により、送信先の受信可／不可状態の検出や、受信可能状態への復旧の通知を行おうとする（特許文献１：請求項１、段落［００１６］等参照）。
【先行技術文献】
【特許文献】
【０００４】
【特許文献１】特開２００６−０６７０４５号公報
【発明の概要】
【発明が解決しようとする課題】
【０００５】
まず、ファクシミリ装置は、例えば、受信データを一時的に蓄積するメモリのメモリフル状態や、メンテナンスや、用紙の詰まり等のエラーや、あるいは、通信中で回線が塞がっている場合など、ファクシミリ装置からデータを受信できない状態になり得る。
【０００６】
受信不可状態であると、画像データ等の送信が未達成なので、送信側のファクシミリ装置は、再度、データの送信を試みる。しかし、受信不可状態が続いているのに再発呼を行っても無駄であり、送信側のファクシミリ装置は無駄な動作をしていることになる。そのため、無駄な再発呼を無くすべきであるという問題がある。
【０００７】
又、無駄な再発呼を無くすとしても、受信されなかったデータ（未受信データ）を、最終的には確実に受信側のファクシミリ装置に到達させるべきという問題がある。言い換えると、データ不達のまま終わることを防がなくてはならない。さらに、不達を防ぐ観点から、未受信データが送信されたか、まだ未送信のままかを容易に確認できるようにすべきであるという問題もある。
【０００８】
ここで、特許文献１記載の通信装置をみると、通信装置では、受信不可の状態を示す応答メッセージと、受信可能状態に復帰したメッセージのやりとりが、受信−送信間で行われる（特許文献１：段落００６５、００７１等参照）。確かに、無駄な再発呼は少なくなる。しかし、特許文献１記載の通信装置では、送信する画像データは、蓄積メモリに蓄積される（例えば、ＤＲＡＭ、特許文献１の段落００２０参照）。そのため、受信側の通信装置の受信不可状態である時間が長くなるほど、例えば、送信側通信装置のメモリフルや主電源ＯＦＦ、リセットによる揮発等、データ不達の可能性が高くなるという問題がある。又、特許文献１記載には、未受信データの到達状況を確認する手段、方法の記載は一切なく、未送信のままか、送信されたかを容易に確認できないという問題がある。
【０００９】
本発明は、上記の問題点に鑑み、無駄な再発呼をなくし、データ不達のまま終わってしまうこと防ぎ、確実にデータ送信を行うことを課題とする。
【課題を解決するための手段】
【００１０】
上記課題解決のため請求項１に係るファクシミリ装置は、データを記憶する記憶部と、
受信側ファクシミリ装置と通信を行うための通信部と、前記記憶部に記憶されたデータを表示する表示部と、入力を受け付ける入力部を含み、前記通信部は、前記受信側ファクシミリ装置に、自己のアドレス情報を通知するとともに、前記受信側ファクシミリ装置から再発呼を止める要求である再発呼停止要求と、前記受信側ファクシミリ装置が受信できていない通信データである未受信データを、前記受信側ファクシミリ装置が後にポーリング通信で受信する旨のポーリング要求を受信し、前記再発呼停止要求を受けると、前記受信側ファクシミリ装置への再発呼を行わず、前記ポーリング要求があったとき、前記受信側ファクシミリ装置に前記ポーリング通信用データと対応づけられて前記記憶部に記憶される認証用のサブアドレスを送信し、前記ポーリング要求を受けると、前記記憶部は、前記未受信データをポーリング通信で送信するポーリング通信用データとして記憶し、前記入力部は、前記サブアドレスの入力を受け付け、前記表示部は、未送信の前記ポーリング通信用データのうち、前記入力部に入力された前記サブアドレスに対応する前記ポーリング通信用データのみを、記憶された前記未受信データを上書きして差し替える上書きと、前記ポーリング通信の対象からの前記未受信データの削除と、記憶された前記未受信データの印刷を受け付けるためのポーリングボックス画面に表示し、前記入力部は、前記ポーリング通信用データに対する前記上書き、前記削除、前記印刷の入力を受け付けることとした。
【００１１】
又、上記課題解決のため請求項６に係る通信システムは、送信側ファクシミリ装置と、受信側ファクシミリ装置からなる通信システムであって、前記送信側ファクシミリ装置は、データを記憶する記憶部と、前記受信側ファクシミリ装置と通信を行うための第１通信部と、前記記憶部に記憶されたデータを表示する表示部と、入力を受け付ける入力部を含み、前記第１通信部は、前記受信側ファクシミリ装置に、自己のアドレス情報を通知するとともに、前記受信側ファクシミリ装置から再発呼を止める要求である再発呼停止要求と、前記受信側ファクシミリ装置が受信できていない通信データである未受信データを前記受信側ファクシミリ装置が後にポーリング通信で受信する旨のポーリング要求を受信し、前記再発呼停止要求を受けると、前記受信側ファクシミリ装置への再発呼を行わず、前記ポーリング要求があったとき、前記受信側ファクシミリ装置に前記ポーリング通信用データと対応づけられて前記記憶部に記憶される認証用のサブアドレスを送信し、前記ポーリング要求を受けると、前記記憶部は、前記未受信データをポーリング通信で送信するポーリング通信用データとして記憶し、前記入力部は、前記サブアドレスの入力を受け付け、前記表示部は、未送信の前記ポーリング通信用データのうち、前記入力部に入力された前記サブアドレスに対応する前記ポーリング通信用データのみを、記憶された前記未受信データを上書きして差し替える上書きと、前記ポーリング通信の対象からの前記未受信データの削除と、記憶された前記未受信データの印刷を受け付けるためのポーリングボックス画面に表示し、前記入力部は、前記ポーリング通信用データに対する前記上書き、前記削除、前記印刷の入力を受け付け、前記受信側ファクシミリ装置は、前記送信側ファクシミリ装置と通信を行うための第２通信部と、前記送信側ファクシミリ装置からのデータを受信できるか否かを判断する制御部と、を含み、前記制御部がデータを受信できないと判断している状態で、前記送信側ファクシミリ装置からセッション確立要求があったとき、前記第２通信部は、前記再発呼停止要求と前記ポーリング要求を前記送信側ファクシミリ装置に送信する、こととした。
【００１２】
これらの構成によれば、通信部（第１通信部）は、再発呼停止要求を受けると受信側ファクシミリ装置への再発呼を行わず、記憶部は、ポーリング要求を受けると、未受信データをポーリング通信用データとして記憶し、表示部は、未送信のポーリング通信用データを表示する。これにより、送信側ファクシミリ装置は、従来のように、無駄な再発呼（リダイヤル）を続けない。又、未受信データは、ポーリング通信用データとして記憶され、最終的に未受信データは、ポーリング通信により、確実に受信側ファクシミリ装置に到達する。又、表示部で、ポーリング通信用データ（未受信データ）の再送信状況（送信されたか否かの状況）を確認することができる。また、表示部は、入力部に入力されたサブアドレスに対応するポーリング通信用データのみを表示する。これにより、全てのポーリング通信用データが表示されず、知っているサブアドレスに関するポーリング通信用データのみが表示される。従って、関係のない第三者によるポーリング通信用データの確認や、ポーリング通信用データの削除、改変、印刷のような悪意のある操作を防ぐことができ、情報セキュリティの安全性が向上する。
【００１３】
尚、ポーリング通信とは、受信側ファクシミリ装置のデータの送信要求をトリガとし、送信側ファクシミリ装置が記憶部に予め不揮発的に蓄えたデータを受信側ファクシミリ装置に送信する通信である。
【００１４】
又、請求項２に係る発明は、請求項１の発明において、前記通信部は、前記ポーリング要求があったとき、認証用の前記サブアドレスを送信し、前記受信側ファクシミリ装置から、前記ポーリング通信用データの送信要求をうけたとき、前記受信側ファクシミリ装置から返された前記サブアドレスと一致する前記ポーリング通信用データを前記受信側ファクシミリ装置に送信し、前記受信側ファクシミリ装置から返された前記サブアドレスと一致する前記ポーリング通信用データがない場合、前記ポーリング通信用データを前記受信側ファクシミリ装置に送信しないこととした。
【００１５】
又、請求項７に係る発明は、請求項６の発明において、前記第１通信部は、前記ポーリング要求があったとき、認証用の前記サブアドレスを送信し、前記第２通信部は、前記ポーリング通信用データの送信要求とともに、前記サブアドレスを前記第１通信部に送信し、前記第１通信部は、前記受信側ファクシミリ装置から返された前記サブアドレスと一致する前記ポーリング通信用データを前記受信側ファクシミリ装置に送信し、前記受信側ファクシミリ装置から返された前記サブアドレスと一致する前記ポーリング通信用データがない場合、前記ポーリング通信用データを送信しないこととした。
【００１６】
これらの構成によれば、通信部（第１通信部）は、送信要求をうけたとき、受信側ファクシミリ装置から送信されたサブアドレスと一致するポーリング通信用データを受信側ファクシミリ装置に送信する。これにより、送信側ファクシミリ装置に蓄えられるポーリング通信用データのうち、受信側ファクシミリ装置が受信できなかった未受信データのみが選ばれ、受信側ファクシミリ装置に送信される。従って、ポーリング通信用データに親展性を持たせることができる。
【００２０】
又、請求項３に係る発明は、請求項１又は２の発明において、前記通信部は、前記受信側ファクシミリ装置に通知した前記アドレス情報に変更があったとき、変更後のアドレス情報を前記受信側ファクシミリ装置に送信することとした。
【００２１】
又、請求項８に係る発明は、請求項６又は７の発明において、前記第１通信部は、前記受信側ファクシミリ装置に通知した前記アドレス情報に変更があったとき、変更後のアドレス情報を前記受信側ファクシミリ装置に送信することとした。
【００２２】
これらの構成によれば、通信部（第１通信部）は、受信側ファクシミリ装置に通知したアドレス情報に変更があったとき、変更後のアドレス情報を受信側ファクシミリ装置に送信することとした。例えば、引越や、接続ネットワークの変更等で送信側ファクシミリ装置のアドレス情報が変わっても、受信側ファクシミリ装置は、送信側ファクシミリ装置に対し確実に送信要求を行える。従って、送信側ファクシミリ装置のアドレス情報が変わっても、データの不達を防ぐことができる。
【００２３】
又、請求項４に係る発明は、請求項１乃至３の発明において、相手方ファクシミリ装置からのデータを受信できるか否かを判断する制御部を含み、前記制御部がデータを受信できないと判断している状態で、前記通信部は、前記相手方ファクシミリ装置からセッション確立要求があったとき、前記再発呼停止要求と、前記ポーリング要求を前記相手方ファクシミリ装置に送信することとした。
【００２４】
この構成によれば、ファクシミリ装置は、本発明における送信側ファクシミリ装置としても受信側ファクシミリ装置としても機能できる。
【００２５】
又、請求項５に係る発明は、請求項１乃至４の発明において、前記通信部は、ＳＩＰの通信プロトコルに基づいて前記受信側ファクシミリ装置と通信を行うこととした。
【００２６】
又、請求項９に係る発明は、請求項６乃至８の発明において、前記第１通信部と前記第２通信部は、ＳＩＰの通信プロトコルに基づいて通信を行うこととした。
【００２７】
これらの構成によれば、通信部（第１通信部、第２通信部）は、ＳＩＰの通信プロトコルに基づいて受信側ファクシミリ装置と通信を行う。これにより、ＳＩＰの通信プロトコルに準拠し、通信を行って、受信側ファクシミリ装置から送信側ファクシミリ装置に再発呼停止要求やポーリング要求を伝達することができる。
【発明の効果】
【００２８】
上述したように、本発明により、無駄な再発呼がなく、かつ、データの不達を確実に防ぐファクシミリ装置、通信システムを提供することができる。又、未受信データが受信側ファクシミリ装置に到達しているか否かを容易に確認することもできる。
【図面の簡単な説明】
【００２９】
【図１】通信システムの概要を示す説明図である。
【図２】複合機の一例を示す模型的正面断面図である。
【図３】各複合機のハードウェア構成の一例を示すブロック図である。
【図４】送信側複合機のファクシミリ通信制御の一例を示すフローチャートである。
【図５】受信側複合機のファクシミリ通信制御の一例を示すフローチャートである。
【図６】受信側複合機が受信可能状態である時の通信シーケンスの一例を示す説明図である。
【図７】受信側複合機が受信不可状態であるときの通信シーケンスの一例を示す説明図である。
【図８】複合機がポーリング通信により未受信データを受信するときの通信シーケンスの一例を示す説明図である。
【図９】送信側複合機が、変更後のアドレス情報を通知するときの通信シーケンスの一例を示す説明図である。
【図１０】送信側複合機でのポーリング通信用データの閲覧をする際に表示される画面の一例を示す説明図である。
【発明を実施するための形態】
【００３０】
以下、本発明の実施形態を図１〜図１０を用いて説明する。ここで、ファクシミリ装置として送信側、受信側ともに複合機１を例に挙げて説明する。但し、本実施の形態に記載される構成、配置等の各要素は、発明の範囲を限定するものではなく単なる説明例にすぎない。
【００３１】
（通信システム１００の概要）
まず、図１を用いて、本発明の実施形態に係る通信システム１００の概要を説明する。図１は、本発明の実施形態に係る通信システム１００の概要を示す説明図である。
【００３２】
本実施形態の通信システム１００は、例えば、少なくとも２台のＦＡＸ機能を有する複合機１（送信側ファクシミリ装置と受信側ファクシミリ装置に相当）を含む。以下の説明では、一方を送信側（送信側複合機１Ｔ）、他方を受信側（受信側複合機１Ｒ）として説明する。尚、各複合機１は、それぞれ、本発明における送信側ファクシミリ装置にも、受信側ファクシミリ装置にもなりうる。例えば、２台の複合機１は、同様の機能を有するものでもよい。そこで、本説明では、通信システム１００における複合機１には、同機種を用いるものとして説明する。
【００３３】
尚、本説明では、送信側及び受信側のファクシミリ装置として、複合機１を例に挙げて説明するので、送信側複合機１Ｔと受信側複合機１Ｒに共通する説明については、「送信側」、「受信側」の語句を省略し、単に「複合機１」と称することがある。
【００３４】
例えば、各複合機１は、それぞれ、ＦＡＸ送信機能の他、コピー機能、スキャン機能、プリンタ機能を有する。そして、各複合機１は、ネットワークＮＴ（例えば、インターネット）を介して通信可能に接続される。尚、便宜上、図１では、通信システム１００が複合機１を２台含む例を示すが、３台以上の複合機１やファクシミリ装置を含んでもよい。
【００３５】
（複合機１の概要）
次に、図２に基づき、本発明の実施形態に係る各複合機１を説明する。図２は本発明の実施形態に係る複合機１の一例を示す模型的正面断面図である。
【００３６】
図２に示すように、本実施形態の複合機１（送信側複合機１Ｔ、受信側複合機１Ｒ）は、最上部に原稿カバー１０１を有し本体には、操作パネル２、画像読取部１０２、給紙部３、搬送路４、画像形成部５、定着部６、排出搬送部６Ｂ等が設けられる。
【００３７】
操作パネル２は、図２に示すように、複合機１の正面上方に設けられ、複合機１の設定や動作指示を与えるためのメニューやキーや複合機１の状態メッセージ等の各種画像、画面を表示する液晶表示部２１（表示部に相当）を有する。使用者は、液晶表示部２１に表示されたキーを押下し、複合機１の機能の各種設定を入力できる。
【００３８】
又、液晶表示部２１の上面にタッチパネル部２２（入力部に相当）が設けられる。タッチパネル部２２は、使用者が液晶表示部２１に押下した部分の位置、座標を検出するためのものである。このタッチパネル部２２を用いた検出座標と、液晶表示部２１に示される各種キーの位置、座標を比較し、使用者が押下して選択したキーが特定される。尚、タッチパネル部２２としては、抵抗膜方式、表面弾性波方式、赤外線方式、静電容量方式等、各方式のものを採用でき特に制限はない。
【００３９】
又、操作パネル２には、以下のようなハードとしてのキー（ボタン）が設けられる。例えば、数字入力用のテンキー部２３や、各種設定後、コピーや送信の処理開始指示用のスタートキー２４が設けられる。又、その他、ハードキーとして、コピー機能を利用する際に押下されるコピーキー２５（図３参照）、スキャナ機能、ＦＡＸ機能を利用する際に押下される送信キー２６（図３参照）等が設けられる。又、ポーリング通信を行うために記憶されているデータを表示させるためのポーリングボックスキー２７（図３参照）も設けられる。このように、操作パネル２には各種ハードキーが備えられ、各種ハードキーは、複合機１の設定等を行うための入力部として機能する。
【００４０】
まず、原稿カバー１０１は、複合機１の上面かつ背面位置に支点を有し、上下に振るように開閉可能である。原稿カバー１０１は、原稿の複写時、載置読取用コンタクトガラス１０２Ａに載置された原稿を押さえる。画像読取部１０２は、原稿を読み取り、原稿の画像データを形成する。又、画像読取部１０２内には露光ランプ、ミラー、レンズ、イメージセンサ（例えば、ＣＣＤ）等の光学系部材（不図示）が設けられる。尚、原稿カバー１０１に変えて、原稿を１枚ずつ、自動的、連続的に、画像読取部１０２の読み取り位置（送り読取用コンタクトガラス１０２Ｂ）に向けて送る原稿搬送装置を設けてもよい。
【００４１】
そして、これらの光学系部材を用い、載置読取用コンタクトガラス１０２Ａに載置される原稿に光を照射し、その原稿の反射光を受けたイメージセンサの各画素の出力値をＡ／Ｄ変換し、画像データが生成される。複合機１は、読み取りにより得られた画像データに基づき印刷を行うことができる（コピー機能）。
【００４２】
給紙部３は、複数の用紙（例えば、コピー用紙、再生紙、厚紙、ＯＨＰシート等の各種シート）を収容し、１枚ずつ搬送路４に送り込む。給紙部３は、収納用紙が載置されるカセット３１を含む（図２で上方のものに３１Ａ、下方のものに３１Ｂの符号を付す）。又、カセット３１から搬送路４に送り出すため回転駆動する給紙ローラ３２が設けられる（図２で上方のものに３２Ａ、下方のものに３２Ｂの符号を付す）。例えば、印刷時には、給紙ローラ３２が回転駆動し、印刷に要する用紙が１枚ずつ搬送路４に送り出される。
【００４３】
搬送路４は、給紙部３から排出トレイ４１まで用紙を搬送する通路である。尚、搬送経路上には画像形成部５、定着部６等が配される。そして、搬送路４には、用紙の案内のためのガイドや、用紙搬送の際に回転駆動する搬送ローラ対４２や、搬送されてくる用紙を画像形成部５の手前で待機させ、トナー像形成のタイミングを合わせて用紙を送り出すレジストローラ対４３等が設けられる。
【００４４】
画像形成部５は、画像データに基づきトナー像を形成し、搬送される用紙にトナー像を転写する。そのため、画像形成部５は、図２中に示す矢印方向に回転駆動可能に支持された感光体ドラム５１、及び、感光体ドラム５１の周囲に配設された帯電装置５２、露光装置５３、現像装置５４、転写ローラ５５、清掃装置５６等を備える。
【００４５】
トナー像形成及び転写プロセスを説明すると、画像形成部５の略中心に設けられ、所定方向に回転駆動する感光体ドラム５１は、図２において、感光体ドラム５１の右斜め上方に設けられる帯電装置５２により、所定電位に帯電される。図４において、露光装置５３は、帯電装置５２の右側方に設けられ、画像データに基づき、レーザ光をから出力し、感光体ドラム５１表面を走査露光して画像データに応じた静電潜像を形成する。尚、画像データは、画像読取部１０２で得られた画像データや、ネットワークＮＴ等により接続される送信側複合機１Ｔや、外部のコンピュータ２００や、相手方ＦＡＸ装置３００（図３参照）から送信された画像データ等が用いられる。
【００４６】
そして、図２において、感光体ドラム５１の右斜め下方に設けられる現像装置５４は、感光体ドラム５１に形成された静電潜像にトナーを供給して現像する。感光体ドラム５１の左方に設けられる転写ローラ５５は感光体ドラム５１に圧接し、ニップが形成される。そして、トナー像にあわせタイミングを図られつつ、用紙はニップに進入する。用紙進入時、転写ローラ５５には所定の電圧が印加され、用紙に感光体ドラム５１上のトナー像が転写される。清掃装置５６は、転写後に感光体ドラム５１に残留するトナーを除去する。
【００４７】
定着部６は、用紙に転写されたトナー像を定着させる。本実施形態における定着部６は主として発熱体を内蔵する加熱ローラ６１と加圧ローラ６２で構成される。加熱ローラ６１と加圧ローラ６２は圧接しニップを形成する。そして、用紙が、このニップを通過することで、用紙表面のトナーが溶融・加熱され、トナー像が用紙に定着する。トナー定着後の用紙は、排出トレイ４１に排出される。このようにして、コピー機能、プリンタ機能の使用時、画像形成（印刷）が行われる。
【００４８】
排出搬送部６Ｂは、印刷済の用紙を排出トレイ４１方向に用紙を搬送する。そして、排出搬送部６Ｂには、正回転方向に回転駆動して排出トレイ４１方向に送り出す排出ローラ対６３を有する。尚、排出ローラ対６３は、両面印刷を行うために逆回転してもよい（スイッチバック）。
【００４９】
（複合機１のハードウェア構成）
次に、図３を用いて、本発明の実施形態に係る各複合機１のハードウェア構成の一例を説明する。図３は、本発明の実施形態に係る各複合機１のハードウェア構成の一例を示すブロック図である。
【００５０】
まず、複合機１の本体側から説明する。複合機１本体内には、本体制御部７が設けられる。本体制御部７は、例えば、操作パネル２、画像読取部１０２、給紙部３、搬送路４、画像形成部５、定着部６、排出搬送部６Ｂ等と接続され、これらの制御を行う。
【００５１】
本体制御部７は、例えば、ＣＰＵ７１等の素子を含む。ＣＰＵ７１は記憶部８に格納され、展開される制御プログラムに基づき演算等を行い、複合機１の各部を制御する。尚、本体制御部７は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を本体制御部７としてまとめた形態を示し、説明する。
【００５２】
記憶部８は、本体制御部７と接続される。記憶部８は、ＲＯＭ、ＲＡＭ、ＨＤＤ等の不揮発性と揮発性の記憶用の装置を組み合わせて構成される。記憶部８は、複合機１の制御用プログラム、制御用データ、設定データ、画像データ等の各種データを記憶できる。本発明に関し、記憶部８（のＨＤＤ）は、ポーリング通信用データを記憶する。
【００５３】
そして、本体制御部７は、通信部９（第１通信部９１、第２通信部９２に相当）と接続される。尚、本発明の説明では、区別のため、送信側複合機１Ｔの通信部９を「第１通信部９１」と称する。又、受信側複合機１Ｒの通信部を「第２通信部９２」と称する。
【００５４】
通信部９はネットワークＮＴや公衆回線（電話回線）により複数の外部のコンピュータ２００（例えば、パーソナルコンピュータ）や相手方ＦＡＸ装置３００（図７では、いずれも便宜上１つのみ図示）と接続される。例えば、画像読取部１０２で得られた画像データを外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１に入力される画像データに基づき印刷、ＦＡＸ送信等を行うこともできる（プリンタ機能、ＦＡＸ機能）。
【００５５】
又、通信部９は、公衆回線（電話回線）を通じて、ＦＡＸ装置と画像データ等の送受信を行うことができる。そのため、通信部９は、例えば、電話回線用のコネクタやＦＡＸモデム等を含む。又、複合機１は、ネットワークＮＴを介しても、他の複合機１やファクシミリ装置４００と通信可能に接続される。複合機１は、他の複合機１やファクシミリ装置４００と、ネットワークＮＴを介して画像データ等の送受信を行える（インターネットＦＡＸ機能と呼ばれることもある）。通信部９は、ネットワーク接続や相手方との通信のためのチップ、ドライバ、メモリ等の素子も有する。
【００５６】
又、本体制御部７は、操作パネル２になされた入力を認識し、使用者の設定にあわせてコピー等が行われるように複合機１を制御する。又、例えば、本体制御部７には、画像読取部１０２で原稿を読み取って得られた画像データや通信部９を介して複合機１に入力された画像データに対し、画像処理を施す画像処理部７２が設けられる。例えば、画像処理部７２は、回転、拡大／縮小、濃度変換、ページ番号挿入、エッジ強調、平滑化等の各種の画像処理を行う。画像処理部７２は操作パネル２で設定された機能に応じて動作する。
【００５７】
そして、画像処理部７２が処理した画像データは、例えば、露光装置５３に送信され、感光体ドラムの走査・露光に用いられる。尚、画像処理部７２が行える画像処理は多数に及ぶので、公知の画像処理を行えるものとし、画像処理部７２の行う画像処理の詳細は割愛する。
【００５８】
次に、具体的に、操作パネル２は、表示制御部２８、メモリ２９、液晶表示部２１、タッチパネル部２２や各種ハードキーを有する。表示制御部２８はＣＰＵやＩＣ等で構成され、液晶表示部２１の表示を制御する。又、表示制御部２８はタッチパネル部２２の出力を受け、液晶表示部２１で押下された座標を特定する。タッチパネル部２２の出力と座標の対応を示すテーブル等のデータは、例えば、メモリ２９に記憶される。表示制御部２８は、押下位置の座標と、各設定画面の画像データを比較する等により、設定画面上で選択された（押下された）キーを特定、認識する。
【００５９】
例えば、液晶表示部２１で表示される画面、画像の画像データは、例えば、操作パネル２内のメモリ２９が記憶する。そこで、表示制御部２８は、設定項目の選択画面や各設定画面中のキーやボタンが押下されるごとに、表示制御部２８は、次に表示すべき画面の画像データをメモリ２９から読み出す。本発明に関しては、操作パネル２は、サブアドレスの入力を受け付け、記憶部８に蓄えられる未受信データを表示する。
【００６０】
（送信側複合機１Ｔのファクシミリ通信制御の流れ）
次に、図４を用い、本発明の実施形態に係る送信側複合機１Ｔのファクシミリ通信制御の流れの一例を説明する。図４は、本発明の実施形態に係る送信側複合機１Ｔのファクシミリ通信制御の流れの一例を示すフローチャートである。
【００６１】
尚、本フローチャートは、送信側複合機１Ｔのものである。通信システム１００での複合機１は、いずれも送信側複合機１Ｔとなりうるので、いずれの複合機１も本フローチャートを実行するためのプログラムやデータを例えば、記憶部８や通信部９に格納する。
【００６２】
まず、図４のスタートは、操作パネル２への入力により受信側複合機１Ｒのアドレス情報（例えば、ＩＰアドレスやＳＩＰアドレス）や、送信するデータのセットがなされ、その後、スタートキー２４の押下等によって、ＦＡＸ送信を行うべき旨の指示が送信側複合機１Ｔに対しなされた時点である。
【００６３】
尚、受信側複合機１Ｒのアドレス情報は、操作パネル２に対する入力や、記憶部８やメモリ２９にアドレス帳として記憶されるアドレス情報を呼び出すことでセットされる。受信側複合機１Ｒに送信するデータは、例えば、画像読取部１０２が原稿を読み取ることで得られた画像データや、画像処理された画像データを含む。あるいは、受信側複合機１Ｒに送信するデータは、コンピュータ２００から送信された画像データを含んでもよい。
【００６４】
次に、本体制御部７は、セットされたアドレス情報に基づき、受信側複合機１Ｒに対する発呼処理を通信部９（第１通信部９１）に行わせる（ステップＴ１）。発呼処理により、セッション確立がはかられる。そして、送信側複合機１Ｔの本体制御部７は、通信部９（第１通信部９１）と受信側複合機１Ｒの通信部９（第２通信部９２）とのやりとりに基づき、セッションを確立できたかを確認する（ステップＴ２）。
【００６５】
例えば、呼びかけを行った受信側複合機１Ｒから応答がない場合、受信側複合機１Ｒが現在受信不可な状態である旨の応答を受けた場合、受信側複合機１Ｒが他のファクシミリ装置と通信中である場合、送信側複合機１Ｔと受信側複合機１Ｒの仲介を行うサーバーにエラーがある場合、などに、送信側複合機１Ｔは、受信側複合機１Ｒとのセッションを確立できない。尚、受信側複合機１Ｒが現在受信不可状態である旨の応答は、例えば、受信側複合機１Ｒの記憶部８内のＲＡＭに空きがない場合（メモリフル）や、エラーが発生している場合や、故障中である場合に発せられる。例えば、受信側複合機１Ｒの本体制御部７が、現在受信不可状態であるか否かを判断する。
【００６６】
もし、セッションを確立できれば（ステップＴ２のＹｅｓ）、送信側複合機１Ｔの本体制御部７は、画像データ等のデータを通信部９（第１通信部９１）から、受信側複合機１Ｒに向けて送信させる（ステップＴ３）。この場合、ＦＡＸ送信が無事に完了したので、本制御は終了すればよい（エンド）。
【００６７】
一方、セッションを確立できなければ（ステップＴ２のＮｏ）、送信側複合機１Ｔの本体制御部７は、通信部９（第１通信部９１）が受信側複合機１Ｒから再発呼停止要求を受信したかを確認する（ステップＴ４）。もし、再発呼停止要求を受信していなければ（ステップＴ４のＮｏ）、送信側複合機１Ｔの本体制御部７は、所定回数すでに発呼済かを確認する（ステップＴ５）。このステップＴ５は、長時間にわたり再発呼が繰り返されることを防ぐものである。送信側複合機１Ｔの本体制御部７は、累計の発呼回数をカウントし、確認を行う。尚、所定回数は、任意に定められる回数（例えば、数回から十数回）であり、記憶部８に記憶される。
【００６８】
もし、所定回数発呼済みならば（ステップＴ５のＹｅｓ）、送信側複合機１Ｔの本体制御部７は、送信を停止させるため、本制御を終了する（エンド）。一方、まだ所定回数発呼していなければ（ステップＴ５のＮｏ）、フローはステップＴ１に戻る。
【００６９】
一方、再発呼停止要求を受信していれば（ステップＴ４のＹｅｓ）、送信側複合機１Ｔの本体制御部７は、発呼を停止する（ステップＴ６）。そして、送信側複合機１Ｔの本体制御部７は、通信部９（第１通信部９１）が受信側複合機１Ｒからポーリング要求を受信したかを確認する（ステップＴ７）。
【００７０】
もし、ポーリング要求を受信していなければ（ステップＴ７のＮｏ）、送信側複合機１Ｔの本体制御部７は、本制御を終了させる（エンド）。一方、ポーリング要求を受信していれば（ステップＴ７のＹｅｓ）、本体制御部７は、送信できなかったデータ（未受信データ）をポーリングボックスに保存する（ステップＴ８）。
【００７１】
例えば、記憶部８のＨＤＤの記憶領域の一部がポーリングボックス用の記憶領域に割り当てられる（記憶部８のＲＯＭでもよい）。言い換えると、未受信データは、記憶部８に不揮発的に記憶される。
【００７２】
ここで、ポーリング通信について説明しておく。ポーリング通信とは、受信側ファクシミリ装置へのデータを予め記憶部８に蓄えておく。そして、受信側ファクシミリ装置のデータの送信要求をトリガとして、送信側ファクシミリ装置は、記憶部８に蓄えられたデータを受信側ファクシミリ装置に送信する。通常、ＦＡＸ通信は、送信側が呼びかけを行うのに対し、ポーリング通信は、受信側ファクシミリ装置が最初に呼びかける点で異なる。
【００７３】
更に、送信側複合機１Ｔは、ポーリング通信のため記憶部８に記憶された未受信データにリンク付けしつつ、受信側複合機１Ｒにサブアドレスを送信する（ステップＴ９）。その後、送信側複合機１Ｔの本体制御部７は、本制御を終了させる（エンド）。尚、サブアドレスは、未受信データに対応づけられつつ記憶部８に記憶される。尚、サブアドレスはポーリング通信に親展性を持たせるための符号であり、パスワードとして機能する（詳細は後述）。
【００７４】
（受信側複合機１Ｒのファクシミリ通信制御の流れ）
次に、図５を用い、本発明の実施形態に係る受信側複合機１Ｒのファクシミリ通信制御の流れの一例を説明する。図５は、本発明の実施形態に係る受信側複合機１Ｒのファクシミリ通信制御の流れの一例を示すフローチャートである。
【００７５】
尚、本フローチャートは、受信側複合機１Ｒ（受信側ファクシミリ装置）のものである。通信システム１００での複合機１はいずれも受信側複合機１Ｒとなりうるので、いずれの複合機１も本フローチャートを実行するためのプログラムやデータを例えば、記憶部８や通信部９に格納する。
【００７６】
まず、図５のスタートは、送信側複合機１Ｔからの呼びかけを着呼した時点である。着呼があると、受信側複合機１Ｒの本体制御部７は、受信側複合機１Ｒが受信可能状態にあるかを確認する（ステップＲ１）。
【００７７】
例えば、受信側複合機１Ｒの本体制御部７は、記憶部８のＲＡＭが未受信データを受信できるほど空き領域があるかを確認する。又、受信側複合機１Ｒの本体制御部７は、エラー状態にあるかを確認する。例えば、受信側複合機１Ｒ内には、搬送される用紙の到達と通過を検知するための用紙センサ７３〜７５が複数設けられる（図１、図３等参照）。例えば、用紙センサ７３〜７５は透過型光センサであり、検知領域に用紙が存在するか否かによって出力が変化する。
【００７８】
用紙センサ７３〜７５の出力は、本体制御部７に入力される。これにより、本体制御部７は、用紙センサ７３〜７５の出力を確認することで、用紙センサ７３〜７５の場所に用紙が到達したか、及び、到達した用紙が通過したかを検知できる。そこで、受信側複合機１Ｒの本体制御部７は、用紙の到達を検知すべき時間に用紙の到達を検知しない場合や、用紙の通過を検知すべき時間に用紙の通過を検知しない場合に紙詰まりのエラー発生と判断する。紙詰まりが生じていれば、印刷できない。
【００７９】
このように、受信側複合機１Ｒの本体制御部７は、受信可能状態にあるかを確認するうえで、複合機１がエラー状態にあるかを確認してもよい。又、受信側複合機１Ｒの本体制御部７は、複合機１に何らかの故障が発生しているかを確認して、受信可能状態にあるかを判断してもよい。更には、操作パネル２への入力により、受信側複合機１Ｒはメンテナンス用のモードとなる。このとき、サービスマンは、受信側複合機１Ｒのカバーを開けて点検を行うことがあり、このような状態では印刷できない。従って、受信側複合機１Ｒの本体制御部７は、メンテナンス用のモードであるかを確認するようにしてもよい。言い換えると、どのような条件（状態）であれば受信不可状態と判断すべきかの条件は、予め定められて記憶部８に記憶され、受信側複合機１Ｒの本体制御部７は、条件を参照し、条件を満たすと、受信不可状態と判断する。
【００８０】
もし、受信可能状態であれば（ステップＲ１のＹｅｓ）、受信側複合機１Ｒの本体制御部７は、通信部９（第２通信部９２）に画像データ等のデータの受信を行わせる（ステップＲ２）。そして、データに含まれる画像データに基づき、受信側複合機１Ｒの本体制御部７は印刷処理の制御を行う（印刷実行、ステップＲ３）。
【００８１】
一方、受信不可状態と判断すれば（セッションを確立できないと判断されれば、ステップＲ１のＮｏ）、受信側複合機１Ｒの本体制御部７は、ヘッダ情報等に含まれる送信側複合機１Ｔのアドレス情報（例えば、ＩＰアドレス）を記憶部８に記憶させる（ステップＲ４）。更に、受信側複合機１Ｒの本体制御部７は、通信部９（第２通信部９２）に、受信側複合機１Ｒが受信不可状態である旨を知らせるための受信不可応答を送信させる（ステップＲ５）。
【００８２】
又、受信側複合機１Ｒの本体制御部７は、通信部９（第２通信部９２）に、送信側複合機１Ｔに再発呼が不要である旨を知らせるための再発呼停止要求を送信させる（ステップＲ６）。又、受信側複合機１Ｒの本体制御部７は、通信部９（第２通信部９２）に、受信可能状態に復帰した際、未受信データをポーリング通信により受信する旨を知らせるためのポーリング要求を送信させる（ステップＲ７）。
【００８３】
そして、受信側複合機１Ｒの通信部９（第２通信部９２）は、送信側から送信されたサブアドレス（パスワード、図４のステップＴ９参照）を受信する（ステップＲ８）。そして、受信側複合機１Ｒの本体制御部７は、送信側複合機１Ｔから送信されるサブアドレス（パスワード、図４のステップＴ９参照）を記憶部８に記憶させる（ステップＲ９）。
【００８４】
その後、受信側複合機１Ｒの本体制御部７は、受信可能状態に復帰したかの確認を続ける（ステップＲ１０のＮｏ→ステップＲ１０）。もし、受信側複合機１Ｒが受信可能状態に復帰した場合、受信側複合機１Ｒの本体制御部７は、認証用のサブアドレスを送信するとともに、ポーリング通信による受信処理を行う（ステップＲ１１）。例えば、受信側複合機１Ｒの本体制御部７は、通信部９（第２通信部９２）に、ポーリング通信により未受信データを受信するための送信要求を送信側複合機１Ｔに向けて送信させる。これにより、セッションが確立できず、送信されなかったデータの受信が開始される（ステップＲ２へ）。
【００８５】
（通信シーケンス）
次に、図６〜図９を用い、本発明の実施形態に係る複合機１の通信シーケンスを説明する。図６は、本発明の実施形態に係る受信側複合機１Ｒが受信可能状態である時の通信シーケンスの一例を示す説明図である。図７は、本発明の実施形態に係る受信側複合機１Ｒが受信不可状態であるときの通信シーケンスの一例を示す説明図である。図８は、本発明の実施形態に係る複合機１がポーリング通信により未受信データを受信するときの通信シーケンスの一例を示す説明図である。図９は、本発明の実施形態に係る送信側複合機１Ｔが、変更後のアドレス情報を通知するときの通信シーケンスの一例を示す説明図である。
【００８６】
ここで、本発明の実施形態の通信システム１００での各ファクシミリ装置（各複合機１）が、ＳＩＰ（Session Initiation Protocol）の通信プロトコルに基づいて通信を行う例を説明する。即ち、本発明の通信システム１００では、第１通信部９１と第２通信部９２は、ＳＩＰの通信プロトコルに基づいて通信を行う。ＳＩＰは、セッションを確立するための通信プロトコルである。ＳＩＰは、ＩＥＴＥ（Internet Engineering Task Force）のＲＦＣ（Request for Comments）３２６１などで定義されている。
【００８７】
例えば、ＳＩＰはインターネットＦＡＸ機能を有するファクシミリ装置に実装される。そのため、本実施形態の通信システム１００での各複合機１は、インターネットＦＡＸ機能を備える。尚、以下の説明では、受信側複合機１Ｒがサーバとして振る舞う例を説明するが、送信側複合機１Ｔと受信側複合機１Ｒの間に、通信を仲介するＳＩＰサーバ（プロキシ・サーバ）があり、サーバが、指定されたアドレスに対応する特定アドレスを検索するようにしてもよい。
【００８８】
［受信側複合機１Ｒが受信可能状態であるときの通信シーケンス］
まず、図６を用いて、受信側複合機１Ｒが受信可能状態である時の通信シーケンスの一例を説明する。本説明は、図４におけるステップＴ１→Ｔ２→Ｔ３と、図５におけるＲ１→Ｒ２→Ｒ３の流れに対応する。
【００８９】
この場合、送信側複合機１Ｔは、受信側複合機１Ｒのアドレス（アドレス情報）にセッション参加要求（ＩＮＶＩＴＥ）を送信する。そして、受信側複合機１Ｒは、送信側複合機１Ｔに向けて暫定応答（１００ Ｔｒｙｉｎｇ）を送信する。更に、受信側複合機１Ｒは、呼び出し中であることを伝えるため、暫定応答（１８０  Ｒｉｎｇｉｎｇ）を送信側複合機１Ｔに送信する。
【００９０】
受信側複合機１Ｒの本体制御部７は、受信不可状態か否かを確認する（図５のステップＲ１）。本シーケンスでは、受信側複合機１Ｒは、受信可能状態と判断する（図５のステップＲ１のＹｅｓ）。そして、受信側複合機１Ｒは、成功（２００  ＯＫ）を送信側複合機１Ｔに送信する。これに対し、送信側複合機１Ｔは、成功（２００  ＯＫ）を元にＡＣＫ応答（セッション確立）を受信側複合機１Ｒに送信する。この後、送信側複合機１Ｔと受信側複合機１Ｒ間での画像データ等のデータの送受信が行われる。
【００９１】
データの送受信が終われば、送信側複合機１Ｔは、セッション切断要求（ＢＹＥ）を送信する。そして、受信側複合機１Ｒは、セッション切断要求（ＢＹＥ）に対し、ＡＣＫを応答する。これにより、セッションが終了し、データの送受信が完了する。
【００９２】
［受信側複合機１Ｒが受信不可状態であるときの通信シーケンス］
次に、図７を用いて、受信側複合機１Ｒが受信不可状態である時の通信シーケンスの一例を説明する。本説明は、図４におけるステップＴ１→Ｔ２→Ｔ４以降と、図５におけるＲ１→Ｒ４以降の流れに対応する。
【００９３】
まず、送信側複合機１Ｔは、送信先アドレスにセッション参加要求（ＩＮＶＩＴＥ）を送信する。そして、受信側複合機１Ｒは、送信側複合機１Ｔに向けて暫定応答（１００ Ｔｒｙｉｎｇ）を送信する。更に、受信側複合機１Ｒは、暫定応答（１８０  Ｒｉｎｇｉｎｇ）を送信する。
【００９４】
受信側複合機１Ｒの本体制御部７は受信不可状態か否かを確認する（図５のステップＲ１）。本シーケンスでは、受信側複合機１Ｒは、受信不可状態と判断する（図５のステップＲ１のＮｏ）。このとき、受信側複合機１Ｒは、一時的に利用不可であることを知らせる応答（４８０  Temporarily Unavailable、受信不可応答）を送信側複合機１Ｔに送信する。これにより、送信側複合機１Ｔは、受信側複合機１Ｒがデータを受信できない状態にあることを認識する。
【００９５】
そして、例えば、受信側複合機１Ｒは、Temporarily Unavailableの応答内のRetry-afterヘッダフィールドを用いて、再発呼停止要求（図４のステップＴ４、図５のステップＲ６）とポーリング要求（図４のステップＴ７、図５のステップＲ７）を行う。尚、本来、Retry-afterヘッダフィールドは、どれくらい経過した後にリクエストを再試行すべきかを伝えるフィールドである。
【００９６】
例えば、送信側複合機１Ｔと受信側複合機１Ｒで、再発呼停止要求（リダイヤルの停止）と、未受信データをポーリング通信用データとして記憶してもらい、後にポーリング通信で受信することの要求（ポーリング要求）と、を意味するRetry-afterヘッダフィールドでの特定の値を取り決めておく。そして、Retry-afterヘッダフィールドの値が予め取り決めた特定値である応答を受けると、送信側複合機１Ｔは通信部９（第１通信部９１）に再発呼を停止させ（図４のステップＴ６）、未受信データをポーリング通信用データとして記憶部８に記憶させる（図４のステップＴ８）。
【００９７】
そして、送信側複合機１Ｔは、４８０  Temporarily Unavailableを受けると、了解のＡＣＫ応答を受信側複合機１Ｒに送信する。ここで、詳細は後述するが、未受信データがポーリング通信用データとして記憶されると（ポーリングボックスに入れられると）、操作パネル２の液晶表示部２１に未受信データ名等を表示させることができる。しかし、未受信データの内容を誰でも確認できると、情報セキュリティ上好ましくない。そこで、親展性を持たせ、ポーリング通信用データのアクセス制限用パスワードとして、送信側複合機１Ｔは、サブアドレスを含むＡＣＫ応答を受信側複合機１Ｒに送信する。この後、送信側−受信側間の通信は、ひとまず終了する。
【００９８】
［受信側複合機１Ｒが受信可能状態に復帰したときの通信シーケンス］
次に、図８を用いて、受信側複合機１Ｒが受信可能状態に復帰した時の通信シーケンスの一例を説明する。本説明は、図５におけるＲ１→・・・→Ｒ１０→Ｒ１１→Ｒ２→Ｒ３の流れに対応する。
【００９９】
尚、本説明では、受信不可状態のとき、ポーリング要求を行った複合機１を「受信側複合機１Ｒ」とし、ポーリング通信によって未受信データを送信する複合機１を「送信側複合機１Ｔ」として、通信シーケンスを説明する。
【０１００】
この場合、まず、受信可能状態に復帰した受信側複合機１Ｒは、送信側複合機１Ｔのアドレスにセッション参加要求（ＩＮＶＩＴＥ）を送信する（受信側複合機１Ｒからの通信開始）。そして、送信側複合機１Ｔは、送受信側複合機１Ｒに向けて暫定応答（１００ Ｔｒｙｉｎｇ）と、暫定応答（１８０  Ｒｉｎｇｉｎｇ）を送信する。そして、受信側複合機１Ｒは、送信側複合機１Ｔからの成功（２００  ＯＫ）を元にＡＣＫ応答（セッション確立）を受信側複合機１Ｒに送信する。
【０１０１】
受信側複合機１Ｒは、ポーリング要求をしたときに送信側複合機１Ｔから受け取ったサブアドレスを、例えば、ＡＣＫ応答に含めて、送信側複合機１Ｔに送信する。上述したように、サブアドレスは、ポーリング通信用データと対応付けされて送信側複合機１Ｔの記憶部８に記憶される。そのため、送信側複合機１Ｔの本体制御部７は、サブアドレスをもとに、受信側複合機１Ｒにポーリング通信すべき未受信データ（ポーリング通信用データ）を特定できる。
【０１０２】
そして、送信側複合機１Ｔの本体制御部７は、サブアドレスにより特定された未受信データを通信部９（第１通信部９１）から、受信側複合機１Ｒに送信する。このように、受信側複合機１Ｒは、受信可能状態に復帰すると、ポーリング通信により受信できなかったデータを取得する。尚、サブアドレスが一致するポーリング通信用データ（未受信データ）がなければ、送信側複合機１Ｔは、ポーリング通信用データの送信は行わない（送信拒否）。
【０１０３】
即ち、本発明の通信システム１００の送信側ファクシミリ装置（送信側複合機１Ｔ）の第１通信部９１は、ポーリング要求があったとき、受信側ファクシミリ装置（受信側複合機１Ｒ）にポーリング通信用データと対応づけられて記憶部８に記憶される認証用のサブアドレスを送信し、第１通信部９１は、受信側ファクシミリ装置から返されたサブアドレスと一致するポーリング通信用データを受信側ファクシミリ装置に送信し、受信側ファクシミリ装置から返されたサブアドレスと一致するポーリング通信用データがない場合、ポーリング通信用データを送信しない。又、受信側ファクシミリ装置の第２通信部９２は、ポーリング通信用データの送信要求とともに、サブアドレスを第１通信部に送信する。
【０１０４】
［送信側複合機１Ｔのアドレスの変更があった場合］
送信側複合機１Ｔのアドレス情報が変わる場合がある。例えば、送信側複合機１Ｔが属するネットワークＮＴでのアドレス変更や、送信側複合機１Ｔを接続するネットワークＮＴの変更があった場合、送信側複合機１Ｔに割り振られるアドレスが変わる。
【０１０５】
送信側複合機１Ｔのアドレス情報に変更があると、未受信データのポーリング通信が完了していない受信側複合機１Ｒは、未受信データを取得できない。そこで、送信側複合機１Ｔは、アドレス情報の変更があった場合、変更後のアドレス情報を受信側複合機１Ｒに知らせる。尚、送信側複合機１Ｔの本体制御部７は、通信部９（第１通信部９１）とのやりとりにより、自己に割り当てられたアドレスに変更があったことを認識できる。
【０１０６】
そこで、図９を用いて、送信側複合機１Ｔのアドレスの変更があった場合の通信シーケンスの一例を説明する。まず、送信側複合機１Ｔは、ポーリング要求を受けた受信側複合機１Ｒに対し、セッション参加要求（ＩＮＶＩＴＥ）を送信する。このため、送信側複合機１Ｔの本体制御部７は、例えば、記憶部８にポーリング要求を受けた受信側複合機１Ｒのアドレスを記憶させておく。
【０１０７】
そうすると、受信側複合機１Ｒは、送信側複合機１Ｔに向けて暫定応答（１００ Ｔｒｙｉｎｇ）、暫定応答（１８０  Ｒｉｎｇｉｎｇ）を送信する。そして、送信側複合機１Ｔは、変更後のアドレス情報を付して、ＡＣＫ応答を受信側複合機１Ｒに送信する。これにより、受信可能状態に復帰すると、受信側複合機１Ｒは、新たに通知された変更後のアドレス情報に基づき、ポーリング通信での未受信データの送信要求を行う。
【０１０８】
即ち、本発明の通信システム１００の送信側ファクシミリ装置（送信側複合機１Ｔ）の第１通信部９１は、受信側ファクシミリ装置（受信側複合機１Ｒ）に通知したアドレス情報に変更があったとき、変更後のアドレス情報を受信側ファクシミリ装置に送信する。
【０１０９】
（ポーリング通信用データの閲覧）
次に、図１０に基づき、本発明の実施形態に係る送信側複合機１Ｔでのポーリング通信用データの閲覧を説明する。図１０は、本発明の実施形態に係る送信側複合機１Ｔでのポーリング通信用データの閲覧をする際に表示される画面の一例を示す説明図である。
【０１１０】
まず、図１０のうち上方に示す画面は、サブアドレス入力画面１０である。例えば、操作パネル２のポーリングボックスキー２７が押下されると、表示制御部２８は、液晶表示部２１にサブアドレス入力画面１０を表示させる。例えば、未受信データをポーリング通信用データとして記憶部８が記憶しているとき、本体制御部７は、サブアドレス入力画面１０を表示させる。
【０１１１】
そして、使用者は、サブアドレス入力画面１０が表示されている状態で、パスワードとしてのサブアドレスを入力する。サブアドレスは、例えば、予め定められた複数桁の数字である。この場合、例えば、テンキー部２３を用いてサブアドレスを入力する。又、サブアドレスは、数字以外の文字を含むものでもよく、この場合は、例えば、文字、数字兼用のソフトウェアキーボード（不図示）が液晶表示部２１に表示される。
【０１１２】
そして、サブアドレス入力画面１０内のＯＫキーＫ１が押下されると、表示制御部２８は、入力されたサブアドレスを示すデータを本体制御部７に伝える。そして、送信側複合機１Ｔの本体制御部７は、入力されたサブアドレスと、ポーリング通信を行うために記憶部８に記憶される未受信データに付されたサブアドレスを比較する。そして、送信側複合機１Ｔの本体制御部７は、入力されたサブアドレスと一致する未受信データの情報を表示制御部２８に伝える。
【０１１３】
未受信データの情報としては、例えば、宛先名称や、受信側複合機１Ｒや、受信側ファクシミリ装置のアドレス情報を含めることができる。尚、送信を試みた日時等、未受信データの情報は、宛先名称やアドレス情報に限られない。
【０１１４】
具体的には、ポーリング通信のために記憶部８に記憶されている未受信データであり、入力されたサブアドレスと一致するポーリング通信用データは、図１０の下方に示すように、ポーリングボックス画面１１に一覧表示される。
【０１１５】
即ち、本発明の通信システム１００は、送信側ファクシミリ装置（送信側複合機１Ｔ）と、受信側ファクシミリ装置（受信側複合機１Ｒ）からなる。そして、送信側ファクシミリ装置は、データを記憶する記憶部８と、受信側ファクシミリ装置と通信を行うための通信部９（第１通信部９１）と、記憶部８に記憶されたデータを表示する表示部（液晶表示部２１）と、を含み、第１通信部９１は、受信側ファクシミリ装置に、自己のアドレス情報を通知するとともに、受信側ファクシミリ装置から再発呼を止める要求である再発呼停止要求と、受信側ファクシミリ装置が受信できていない通信データである未受信データを受信側ファクシミリ装置が後にポーリング通信で受信する旨のポーリング要求を受信し、再発呼停止要求を受けると、受信側ファクシミリ装置への再発呼を行わず、ポーリング要求を受けると、記憶部８は、未受信データをポーリング通信で送信するポーリング通信用データとして記憶し、表示部は、未送信のポーリング通信用データを表示する。又、受信側ファクシミリ装置は、送信側ファクシミリ装置と通信を行うための第２通信部９２と、送信側ファクシミリ装置からのデータを受信できるか否かを判断する制御部（本体制御部７）と、を含み、制御部がデータを受信できないと判断している状態で、送信側ファクシミリ装置からセッション確立要求があったとき、第２通信部９２は、再発呼停止要求とポーリング要求を送信側ファクシミリ装置に送信する。又、送信側ファクシミリ装置は、サブアドレスの入力を受け付ける入力部を含み、表示は、入力部に入力されたサブアドレスに対応するポーリング通信用データのみを表示する。
【０１１６】
そして、ポーリングボックス画面１１には、例えば、記憶された未受信データを上書きして差し替える処理を行うときに押下される上書きキーＫ２や、ポーリング通信の対象から未受信データを削除する処理を行うときに押下される削除キーＫ３や、ポーリング通信の対象として記憶された未受信データを送信側複合機１Ｔで印刷する処理を行うときに押下される印刷キーＫ４が配される。本体制御部７は押下されたキーに応じて制御を行う。尚、上書き、削除、印刷の対象となる未受信データは、押下により指定することができる（例えば、チェックボックスＣＢにチェックが入る）。
【０１１７】
既に、ポーリング通信により受信側に送信された未受信データは、ポーリングボックス画面１１に表示されない。使用者は、ポーリングボックス画面１１を見ることで、受信側複合機１Ｒの都合により送信できなかった未受信データが、ポーリング通信により送信されたかを確認できる。言い換えると、未達状態のままか、到達済みかを確認できる
【０１１８】
このようにして、本発明の通信システム１００、ファクシミリ装置では、通信部９（第１通信部９１）は、再発呼停止要求を受けると受信側ファクシミリ装置（受信側複合機１Ｒ）への再発呼を行わず、記憶部８は、ポーリング要求を受けると、未受信データをポーリング通信用データとして記憶し、表示部（液晶表示部２１）は、未送信のポーリング通信用データを表示する。これにより、送信側ファクシミリ装置（送信側複合機１Ｔ）は、従来のように、無駄な再発呼（リダイヤル）を続けない。又、未受信データは、ポーリング通信用データとして記憶され、最終的に未受信データは、ポーリング通信により、確実に受信側ファクシミリ装置（受信側複合機１Ｒ）に到達する。又、表示部で、ポーリング通信用データ（未受信データ）の再送信状況（送信されたか否かの状況）を確認することができる。
【０１１９】
又、通信部９（第１通信部９１）は、送信要求をうけたとき、受信側ファクシミリ装置（受信側複合機１Ｒ）から送信されたサブアドレスと一致するポーリング通信用データを受信側ファクシミリ装置に送信する。これにより、送信側ファクシミリ装置（送信側複合機１Ｔ）に蓄えられるポーリング通信用データのうち、受信側ファクシミリ装置が受信できなかった未受信データのみが選ばれ、受信側ファクシミリ装置に送信される。従って、ポーリング通信用データに親展性を持たせることができる。
【０１２０】
又、表示部（液晶表示部２１）は、入力部（タッチパネル部２２等）に入力されたサブアドレスに対応するポーリング通信用データのみを表示する。これにより、全てのポーリング通信用データが表示されず、知っているサブアドレスに関するポーリング通信用データのみが表示される。従って、関係のない第三者によるポーリング通信用データの確認や、ポーリング通信用データの削除、改変、印刷のような悪意のある操作を防ぐことができ、情報セキュリティの安全性が向上する。
【０１２１】
又、通信部９（第１通信部９１）は受信側ファクシミリ装置（受信側複合機１Ｒ）に通知したアドレス情報に変更があったとき、変更後のアドレス情報を受信側ファクシミリ装置に送信することとした。例えば、引越や、接続ネットワークＮＴの変更等で送信側ファクシミリ装置（送信側複合機１Ｔ）のアドレス情報が変わっても、受信側ファクシミリ装置は、送信側ファクシミリ装置に対し確実に送信要求を行える。従って、送信側ファクシミリ装置のアドレス情報が変わっても、送信未完了のデータの不達を防ぐことができる。
【０１２２】
又、ファクシミリ装置（複合機１）は、本発明における送信側ファクシミリ装置（送信側複合機１Ｔ）としても受信側ファクシミリ装置（受信側複合機１Ｒ）としても機能できる。又、通信部９（第１通信部９１、第２通信部９２）は、ＳＩＰの通信プロトコルに基づいて受信側ファクシミリ装置と通信を行う。これにより、ＳＩＰの通信プロトコルに準拠し、通信を行って、受信側ファクシミリ装置から送信側ファクシミリ装置に再発呼停止要求やポーリング要求を伝達することができる。
【０１２３】
他の実施形態を説明する。上記の説明では、送信側ファクシミリ装置、受信側ファクシミリ装置として、いずれも複合機１を用いる例を説明した。しかし、送信側、受信側のいずれか、あるいは両方に関し、複合機１に変えて、ＦＡＸ専用機を用いてもよい。
【０１２４】
本発明の実施形態を説明したが、本発明の範囲はこれに限定されるものではなく、発明の主旨を逸脱しない範囲で種々の変更を加えて実施することができる。
【産業上の利用可能性】
【０１２５】
本発明はファクシミリ装置やファクシミリ装置を含む通信システムに利用可能である。
【符号の説明】
【０１２６】
１      複合機（ファクシミリ装置）
１Ｒ    受信側複合機（受信側ファクシミリ装置）
１Ｔ    送信側複合機（送信側ファクシミリ装置）
２１    液晶表示部（表示部）            ２２    タッチパネル部（入力部）
７      本体制御部                      ８      記憶部
９      通信部                          ９１    第１通信部（送信側複合機）
９２    第２通信部（受信側複合機）      １００  通信システム
【図１】
0005393621.tif 000002
【図２】
0005393621.tif 000003
【図３】
0005393621.tif 000004
【図４】
0005393621.tif 000005
【図５】
0005393621.tif 000006
【図６】
0005393621.tif 000007
【図７】
0005393621.tif 000008
【図８】
0005393621.tif 000009
【図９】
0005393621.tif 000010
【図１０】
0005393621.tif 000011